(57)【要約】【課題】電子カメラのダイナミックレンジを含む階調特性を簡単に評価することができる階調チャート階調特性評価方法を提供する。【解決手段】本発明の階調特性評価方法は、濃度の異なる複数のパッチを含むグレイチャートを準備するステップ１０１と、各パッチの輝度を測定して各パッチ輝度値を取得するステップ１０２と、グレイチャートを電子カメラを用いて撮影する撮影ステップ１０３と、撮影画像データから、各パッチ毎の撮影輝度値を求めるステップ１０５と、基準被写体反射率に対応する基準撮影輝度値を求めるステップ１０６と、撮影輝度値が基準撮影輝度値となるパッチの輝度値である基準パッチ輝度値を求めるステップ１０７と、基準被写体反射率及び基準パッチ輝度値に基づいて、各パッチのパッチ輝度値に対応する被写体反射率を求めるステップ１０８と、各パッチ毎の被写体反射率と撮影輝度値とに基づく階調特性データを出力するステップ１０９とを含む。【選択図】図１
2004140450.tif 000002
【特許請求の範囲】
【請求項１】
電子カメラの階調特性評価方法であって、
濃度の異なる複数のパッチを含むグレイチャートを準備するステップと、
所定の照明条件における前記各パッチの輝度を測定して各パッチ輝度値を取得するステップと、
前記所定の照明条件で前記グレイチャートを前記電子カメラを用いて撮影する撮影ステップと、
前記撮影ステップで取得した撮影画像データから、前記各パッチ毎の撮影輝度値を求めるステップと、
基準被写体反射率に対応する基準撮影輝度値を求めるステップと、
前記撮影輝度値が前記基準撮影輝度値となるパッチの輝度値である基準パッチ輝度値を求めるステップと、
前記基準被写体反射率及び基準パッチ輝度値に基づいて、前記グレイチャートの各パッチのパッチ輝度値に対応する被写体反射率を求めるステップと、
前記グレイチャートの各パッチ毎の前記被写体反射率と前記撮影輝度値とに基づく階調特性データを出力するステップとを含む階調特性評価方法。
【請求項２】
請求項１記載の階調特性評価方法であって、
前記各パッチ輝度値を取得するステップは、デイライトに近い照明条件で、輝度計を用いて行うものである階調特性評価方法。
【請求項３】
請求項１又は２記載の階調特性評価方法であって、
前記撮影ステップは、前記グレイチャートの周囲の、少なくとも前記電子カメラの撮影画角に含まれる全領域に低反射率の黒色物体を配置した状態で撮影するものである階調特性評価方法。
【請求項４】
請求項１ないし３のいずれか１項記載の階調特性評価方法であって、
前記撮影ステップは、複数のホワイトバランス設定、複数の露出設定における撮影を行うものであり、
前記各パッチ毎の撮影輝度値を求めるステップは、前記撮影ステップで取得した複数の撮影画像データの内、最もホワイトバランスがとれ、少なくとも最低濃度のパッチの撮影輝度値が飽和している撮影画像データを利用するものである階調特性評価方法。
【請求項５】
請求項１ないし４のいずれか１項記載の階調特性評価方法であって、
前記階調特性データは、前記被写体反射率と前記撮影輝度値をグラフ化したものである階調特性評価方法。
【請求項６】
請求項１ないし４のいずれか１項記載の階調特性評価方法であって、
前記階調特性データは、前記被写体反射率の対数値と前記撮影輝度値の対数値をグラフ化したものである階調特性評価方法。
【請求項７】
請求項１ないし４のいずれか１項記載の階調特性評価方法であって、
前記階調特性データは、前記被写体反射率の対数値と前記撮影輝度値に基づく標準モニタ輝度の対数値をグラフ化したものである階調特性評価方法。
【請求項８】
電子カメラの階調特性評価をコンピュータを用いて行うための階調特性評価プログラムであって、
濃度の異なる複数のパッチを含むグレイチャートの、所定の照明条件におけるパッチ輝度値を記憶するステップと、
前記所定の照明条件で前記グレイチャートを前記電子カメラを用いて撮影して取得した撮影画像データから求めた、前記各パッチ毎の撮影輝度値を記憶するステップと、
前記パッチ輝度値と前記撮影輝度値とを利用して、前記電子カメラの階調特性データを生成し、出力する特性出力ステップとを有し、
前記特性出力ステップは、
基準被写体反射率に対応する基準撮影輝度値を求めるステップと、
前記撮影輝度値が前記基準撮影輝度値となるパッチの輝度値である基準パッチ輝度値を求めるステップと、
前記基準被写体反射率及び基準パッチ輝度値に基づいて、前記グレイチャートの各パッチのパッチ輝度値に対応する被写体反射率を求めるステップと、
前記グレイチャートの各パッチ毎の前記被写体反射率と前記撮影輝度値とに基づく階調特性データを出力するステップとを含む階調特性評価プログラム。
【請求項９】
請求項８記載の階調特性評価プログラムであって、
前記階調特性データは、前記被写体反射率と前記撮影輝度値をグラフ化したものである階調特性評価プログラム。
【請求項１０】
請求項８記載の階調特性評価プログラムであって、
前記階調特性データは、前記被写体反射率の対数値と前記撮影輝度値の対数値をグラフ化したものである階調特性評価プログラム。
【請求項１１】
請求項８記載の階調特性評価プログラムであって、
前記階調特性データは、前記被写体反射率の対数値と前記撮影輝度値に基づく標準モニタ輝度の対数値をグラフ化したものである階調特性評価プログラム。
【請求項１２】
電子カメラの階調特性評価を行う階調特性評価装置であって、濃度の異なる複数のパッチを含むグレイチャートの、所定の照明条件におけるパッチ輝度値と、前記所定の照明条件で前記グレイチャートを前記電子カメラを用いて撮影して取得した撮影画像データから求めた、前記各パッチ毎の撮影輝度値とを少なくとも記憶する記憶部と、
前記パッチ輝度値と前記撮影輝度値とを利用して、前記電子カメラの階調特性データを生成し、出力する特性出力部とを有し、
前記特性出力部は、基準被写体反射率に対応する基準撮影輝度値を求め、前記撮影輝度値が前記基準撮影輝度値となるパッチの輝度値である基準パッチ輝度値を求め、前記基準被写体反射率及び基準パッチ輝度値に基づいて、前記グレイチャートの各パッチのパッチ輝度値に対応する被写体反射率を求め、前記グレイチャートの各パッチ毎の前記被写体反射率と前記撮影輝度値とに基づく階調特性データを出力するものである階調特性評価装置。
【請求項１３】
請求項１２記載の階調特性評価装置であって、
前記階調特性データは、前記被写体反射率と前記撮影輝度値をグラフ化したものである階調特性評価装置。
【請求項１４】
請求項１２記載の階調特性評価装置であって、
前記階調特性データは、前記被写体反射率の対数値と前記撮影輝度値の対数値をグラフ化したものである階調特性評価装置。
【請求項１５】
請求項１２記載の階調特性評価装置であって、
前記階調特性データは、前記被写体反射率の対数値と前記撮影輝度値に基づく標準モニタ輝度の対数値をグラフ化したものである階調特性評価装置。
【発明の詳細な説明】
【０００１】
【発明の属する技術分野】
本発明は、電子カメラの階調特性評価を行う階調特性評価方法、階調特性評価プログラム、及び階調特性評価装置に関する。
【０００２】
【従来の技術】
電子カメラのグレイ階調特性を評価する場合、映像メディア学会発行のγチャート等のグレイチャートを所定の光源で撮影することによって取得した撮像信号に基づいて行っている（例えば、特許文献１参照）。そして、通常、遮光時の階調値を０、撮像信号が白飽和する階調値を１に正規化する等の処理を施し、０〜１の範囲で規定される階調特性を得ている。
【０００３】
一方、近年、電子カメラのダイナミックレンジの拡大の要望が大きくなっており、多くのワイドダイナミックレンジカメラが提供されている。ダイナミックレンジの拡大により、背景の明るい被写体、例えば人物を撮影した場合でも、白トビがない画像を得ることができるが、従来のように、０〜１の範囲で正規化された階調特性では、個々の電子カメラのダイナミックレンジの違いを簡単に評価することができない。
【０００４】
デジタルカメラの階調特性を表す機種階調特性プロファイルを作成する別の方法が、特許文献２に示されている。この方法は、異なる撮影条件毎に、各々のデジタルカメラを用いてグレイチャートを撮影して得た各グレイパッチに対応するデジタルカメラＲＧＢ値から得たｌｏｇＹの値と、各撮影条件においてグレイチャートの各グレイパッチの輝度を測定して得た輝度測定値を対数化して得た対数化輝度測定値とをグレイパッチ毎に対応させて得たデータに基づいて作成するものである。この方法によれば、各々のデジタルカメラのダイナミックレンジがある程度把握できるが、ｌｏｇＹと対数化輝度測定値との関係は、デジタルカメラの機種別の関係を示すにすぎず、機種間の特性の差異を把握するには充分でない。
【０００５】
【特許文献１】
特開２００２−７７９５５号公報
【特許文献２】
特開２００２−１６８０７号公報
【０００６】
【発明が解決しようとする課題】
本発明は、上記事情に鑑みなされたもので、電子カメラのダイナミックレンジを含む階調特性を簡単に評価することができる階調チャート階調特性評価方法、階調特性評価プログラム、及び階調特性評価装置を提供することを目的とする。
【０００７】
【課題を解決するための手段】
本発明の階調特性評価方法は、電子カメラの階調特性を評価するものであって、濃度の異なる複数のパッチを含むグレイチャートを準備するステップと、所定の照明条件における前記各パッチの輝度を測定して各パッチ輝度値を取得するステップと、前記所定の照明条件で前記グレイチャートを前記電子カメラを用いて撮影する撮影ステップと、前記撮影ステップで取得した撮影画像データから、前記各パッチ毎の撮影輝度値を求めるステップと、基準被写体反射率に対応する基準撮影輝度値を求めるステップと、前記撮影輝度値が前記基準撮影輝度値となるパッチの輝度値である基準パッチ輝度値を求めるステップと、前記基準被写体反射率及び基準パッチ輝度値に基づいて、前記グレイチャートの各パッチのパッチ輝度値に対応する被写体反射率を求めるステップと、前記グレイチャートの各パッチ毎の前記被写体反射率と前記撮影輝度値とに基づく階調特性データを出力するステップとを含むものである。このような階調特性データとすると、評価対象の電子カメラの特性や撮影条件にかかわらず、基準被写体反射率と基準撮影輝度が一致しているので、カメラ間の特性評価がし易くなる。
【０００８】
本発明の階調特性評価方法における前記各パッチ輝度値を取得するステップは、デイライトに近い照明条件で、輝度計を用いて行うものを含む。
【０００９】
本発明の階調特性評価方法における前記撮影ステップは、前記グレイチャートの周囲の、少なくとも前記電子カメラの撮影画角に含まれる全領域に低反射率の黒色物体を配置した状態で撮影するものを含む。
【００１０】
本発明の階調特性評価方法における前記撮影ステップは、複数のホワイトバランス設定、複数の露出設定における撮影を行うものであり、前記各パッチ毎の撮影輝度値を求めるステップは、前記撮影ステップで取得した複数の撮影画像データの内、最もホワイトバランスがとれ、少なくとも最低濃度のパッチの撮影輝度値が飽和している撮影画像データを利用するものを含む。
【００１１】
本発明の階調特性評価方法における前記階調特性データは、前記被写体反射率と前記撮影輝度値をグラフ化したものを含む。このような真数特性グラフを出力すると、カメラ毎の飽和被写体反射率（ダイナミックレンジ）の比較を簡単に行うことができる。
【００１２】
本発明の階調特性評価方法における前記階調特性データは、前記被写体反射率の対数値と前記撮影輝度値の対数値をグラフ化したものを含む。また、前記階調特性データは、前記被写体反射率の対数値と前記撮影輝度値に基づく標準モニタ輝度の対数値をグラフ化したものを含む。このような対数特性グラフを出力すると、カメラ間の階調の硬さの違いを、ハイライト、中間調、シャドウ部毎に容易に把握することができる。
【００１３】
本発明の階調特性評価プログラムは、電子カメラの階調特性評価をコンピュータを用いて行うためのものであって、濃度の異なる複数のパッチを含むグレイチャートの、所定の照明条件におけるパッチ輝度値を記憶するステップと、前記所定の照明条件で前記グレイチャートを前記電子カメラを用いて撮影して取得した撮影画像データから求めた、前記各パッチ毎の撮影輝度値を記憶するステップと、前記パッチ輝度値と前記撮影輝度値とを利用して、前記電子カメラの階調特性データを生成し、出力する特性出力ステップとを有し、前記特性出力ステップは、基準被写体反射率に対応する基準撮影輝度値を求めるステップと、前記撮影輝度値が前記基準撮影輝度値となるパッチの輝度値である基準パッチ輝度値を求めるステップと、前記基準被写体反射率及び基準パッチ輝度値に基づいて、前記グレイチャートの各パッチのパッチ輝度値に対応する被写体反射率を求めるステップと、前記グレイチャートの各パッチ毎の前記被写体反射率と前記撮影輝度値とに基づく階調特性データを出力するステップとを含むものである。
【００１４】
本発明の階調特性評価プログラムにおける前記階調特性データは、前記被写体反射率と前記撮影輝度値をグラフ化したものを含む。
【００１５】
本発明の階調特性評価プログラムにおける前記階調特性データは、前記被写体反射率の対数値と前記撮影輝度値の対数値をグラフ化したものを含む。また、前記階調特性データは、前記被写体反射率の対数値と前記撮影輝度値に基づく標準モニタ輝度の対数値をグラフ化したものを含む。
【００１６】
本発明の階調特性評価装置は、電子カメラの階調特性評価を行うものであって、濃度の異なる複数のパッチを含むグレイチャートの、所定の照明条件におけるパッチ輝度値と、前記所定の照明条件で前記グレイチャートを前記電子カメラを用いて撮影して取得した撮影画像データから求めた、前記各パッチ毎の撮影輝度値とを少なくとも記憶する記憶部と、前記パッチ輝度値と前記撮影輝度値とを利用して、前記電子カメラの階調特性データを生成し、出力する特性出力部とを有し、前記特性出力部は、基準被写体反射率に対応する基準撮影輝度値を求め、前記撮影輝度値が前記基準撮影輝度値となるパッチの輝度値である基準パッチ輝度値を求め、前記基準被写体反射率及び基準パッチ輝度値に基づいて、前記グレイチャートの各パッチのパッチ輝度値に対応する被写体反射率を求め、前記グレイチャートの各パッチ毎の前記被写体反射率と前記撮影輝度値とに基づく階調特性データを出力するものである。
【００１７】
本発明の階調特性評価装置における前記階調特性データは、前記被写体反射率と前記撮影輝度値をグラフ化したものを含む。
【００１８】
本発明の階調特性評価装置における前記階調特性データは、前記被写体反射率の対数値と前記撮影輝度値の対数値をグラフ化したものを含む。また、前記階調特性データは、前記被写体反射率の対数値と前記撮影輝度値に基づく標準モニタ輝度の対数値をグラフ化したものを含む。
【００１９】
【発明の実施の形態】
以下、本発明の実施の形態について、図面を用いて説明する。図１は、本発明の特性評価方法の実施の形態の概略手順を示す図である。
【００２０】
ステップ１０１では、階調特性の評価に使用するグレイチャートを準備する。このグレイチャートは、階調特性評価を行おうとする電子カメラによって撮影されるものであり、分光反射率が極力フラットで濃度（反射率）の異なる複数のパッチを含む。図２は、一例として２４パッチを有するグレイチャート１０を示しており、左上の最も明るいパッチを配置し、順次濃度が高いパッチを並べ、最も暗いパッチを右下になるように配置してある。最も明るいパッチと最も暗いパッチの濃度差は、できるだけ大きくするのが望ましい。以下、各パッチを区別する必要がある場合は、最も明るいパッチの番号をＰ１、最も暗いパッチの番号をＰ２４として各パッチに付与したパッチ番号Ｐ１〜Ｐ２４を使用する。なお、図２では、一部のパッチのみにパッチ番号を付与してある。
【００２１】
ステップ１０２では、ステップ１０１で準備したグレイチャート１０の各パッチの輝度を輝度計を用いて測定し、各パッチの輝度値を取得する。輝度の測定に際しては、デイライトに近いむらのない照明条件で行うのが好ましく、具体的にはキセノンランプ、Ｆ８蛍光灯等で照明する。電子カメラによる撮影も同じ照明条件で行うので、この照明条件は、電子カメラによる撮影にも使用可能なものとする。各パッチの輝度の測定結果の一例を、図３の特性表の列Ｘ１に示す。
【００２２】
ステップ１０３では、特性評価を行おうとする電子カメラを用いて、ステップ１０２のパッチ濃度測定に使用した照明条件でグレイチャート１０を撮影する。撮影に際しては、複数のホワイトバランスモード（オート、特定光源ポジション、カスタムホワイトバランス等）でテスト撮影し、最もホワイトバランスがとれているモードを選択する。そして、ＡＥブラケット撮影機能の使用等により、露出を変化させた複数の画像を撮影する。また、レンズフレアの影響を極力防止するため、チャート以外の部分を低反射率の黒色部材で覆うことが望ましい。具体的には、グレイチャート１０の周囲に黒色布等の低反射率の黒色物体を配置した状態で撮影する。黒色物体を配置する領域は、少なくとも電子カメラの撮影画角に含まれる全領域とする。
【００２３】
ステップ１０４では、ステップ１０３で撮影された複数の画像から、階調特性の評価に最適な画像を選択する。選択に際しては、少なくとも最低濃度のパッチを撮影した輝度値（撮影輝度値）が飽和している画像を選択する。最低濃度のパッチの撮影輝度値が飽和していない画像は、カメラの飽和被写体反射率（ダイナミックレンジ）が算出できないので選択しない。また、カメラの飽和被写体反射率の算出には、撮影輝度値が飽和しているパッチが１つあれば充分であるので、撮影輝度値が飽和しているパッチができるだけ１に近い画像を選択する。
【００２４】
ステップ１０５では、ステップ１０４で選択した画像の撮影画像データに基づき、各パッチ毎の撮影輝度値を求める。各パッチの撮影輝度値は、各パッチに対応する画素の輝度値の平均値を利用する。各パッチの撮影輝度値の抽出結果の一例を、図３の特性表の列Ｙ１に示す。この例では、撮影輝度値が８ビットで表されるので、最高値（飽和値）が２５５となっている。
【００２５】
ステップ１０６では、各パッチの撮影輝度値を利用して、基準被写体反射率に対応する基準撮影輝度値を求める。基準被写体反射率及び基準撮影輝度値は、特性評価しようとするカメラにかかわらず、特定の値を通過する階調特性データを作成するために求めるものである。一般的に、カメラの測光が被写体の平均反射率が１８％とみなして行われるので、基準被写体反射率は１８％を利用するのが好ましい。
【００２６】
基準被写体反射率に対応する撮影輝度値は、観察モニタの色特性及び標準観察環境を規定した国際規格であるｓＲＧＢ規格（ＩＥＣ６１９６６−２−１）に記載された、ｓＲＧＢリニア−ノンリニア変換式に、被写体反射率１８％を代入して求められた値を利用する。ｓＲＧＢリニア−ノンリニア変換式は、リニア被写体反射率をＧｓＲＧＢ、ノンリニア被写体反射率をＧ’ｓＲＧＢ、８ビットで表す撮影輝度値をＧ８ｂｉｔとすると、（１）式及び（２）式で表されるので、リニア被写体反射率ＧｓＲＧＢに０．１８を代入して基準撮影輝度値を求める。この場合、基準撮影輝度値は１１８と算出される。
【００２７】
Ｇ’ｓＲＧＢ＝１．０５５×　ＧｓＲＧＢ（１．０／２．４）−０．０５５　　　（１）
Ｇ８ｂｉｔ＝ｒｏｕｎｄ（２５５．０×Ｇ’ｓＲＧＢ）　　　　　　　　　　（２）
なお、「ｒｏｕｎｄ」は、小数点以下四捨五入を表す関数である。
【００２８】
続いて、ステップ１０７で、撮影輝度値が基準撮影輝度値１１８となるパッチの輝度値である基準パッチ輝度値を求める。図３の特性表の列Ｙ１に示す撮影輝度値が得られたものとすると、パッチ番号９の撮影輝度値が１１８．２６、パッチ番号１０の撮影輝度値が９０．６であるので、基準撮影輝度値に対応するパッチの輝度値（基準パッチ輝度値）は、パッチ番号９のパッチ輝度値６５０とパッチ番号１０のパッチ輝度値が４６４の間であることがわかる。
【００２９】
基準パッチ輝度値の求め方を、図３の具体例を用いてさらに説明する。撮影輝度値（列Ｙ１の値）の対数値及びパッチ輝度値（列Ｘ１の値）の対数値は、狭い範囲においてはほぼ線形とみなすことができるので、ｌｏｇ１１８．２６とｌｏｇ９０．６の間、ｌｏｇ６５０とｌｏｇ４６４の間の比例計算により、基準撮影輝度値１１８に対応する基準パッチ輝度値を推定できる。この場合、基準パッチ輝度値は、６４５．４と推定される。
【００３０】
ステップ１０８では、基準被写体反射率と基準パッチ輝度値に基づいて、グレイチャートの各パッチに対応する被写体反射率を求める。図３の例では、基準被写体反射率１８％に対応するパッチ輝度値（基準パッチ輝度値）が６４５．４と算出され、基準被写体反射率とパッチ輝度値が比例関係にあるので、各パッチのパッチ輝度値に１８／６４５．４を乗算して各パッチに対応する被写体反射率を算出する。算出結果を図３の特性表の列Ｘ２に示す。
【００３１】
そして、ステップ１０９では、ステップ１０８で算出したグレイチャートの各パッチ毎の被写体反射率と、ステップ１０５で抽出したパッチ毎の撮影輝度値とに基づく階調特性データを出力する。階調特性データは、図３に示すような階調特性表の形式で出力してもよいが、評価目的に応じたグラフ形式で出力してもよい。図３の特性表から、このカメラの飽和被写体反射率は、１１３．７９％〜１３９．４５％の間にあることが把握できる。なお、図３の階調特性表における列Ｘ１には、ステップで求めた１０２で求めたパッチ輝度値、列Ｘ２には、ステップ１０８で算出した各パッチに対応する被写体反射率、列Ｘ３には、列Ｘ２の被写体反射率の対数値、すなわち対数露光量を各パッチに対応させて示してある。また、列Ｙ１には、ステップ１０５で抽出したパッチ毎の撮影輝度値、列Ｙ２には、撮影輝度値Ｙ１に基づいて標準モニタに表示したときのモニタ輝度値、列Ｙ３には、列Ｙ２の値の対数値である対数モニタ輝度値（負号を省略してある。図５についても同様。）を各パッチに対応させて示してある。
【００３２】
なお、相対モニタ輝度値（列Ｙ２に示す値）は、次の演算によって求めたものである。
【００３３】
Ｙ１’＝Ｙ１／２５５．０
Ｙ２＝［（Ｙ１’＋０．０５５）／１．０５５］２．４
（ｉｆ　Ｙ１’＞０．０４０４５）
Ｙ２＝Ｙ１’／１２．９２
（ｉｆ　Ｙ１’≦０．０４０４５）
【００３４】
次に、階調特性データをグラフ化して出力する例を示す。図４は、被写体反射率の真数値（列Ｘ２の値）と撮影輝度値の真数値（列Ｙ１の値）をプロットした真数特性グラフである。図４のカメラ１は、図３の特性表に示す値をプロットしたものであり、カメラ２は、他の特性表（図示せず）に基づく値をプロットしたものである。真数特性グラフは、ダイナミックレンジの比較が行い易く、図４の例では、カメラ２は、カメラ１に比較してダイナミックレンジが拡大していることが容易に把握できる。
【００３５】
図５は、対数露光量（被写体反射率の対数値、列Ｘ３の値）と対数モニタ輝度値（列Ｙ３の値）をプロットした対数特性グラフである。図４と同様、カメラ１は、図３の特性表に示す値をプロットしたものであり、カメラ２は、他の特性表（図示せず）に基づく値をプロットしたものである。対数特性グラフは、カメラ間の階調の硬さの違いを、ハイライト、中間調、シャドウ部毎に把握し易く、図５の例では、カメラ１がカメラ２に比較して軟調といえる。なお、対数特性グラフは、対数露光量（被写体反射率の対数値、列Ｘ３の値）と撮影輝度値の対数値をプロットしたものでもよい。
【００３６】
以上説明した特性評価方法の手順の内、少なくとも図１のステップ１０６からステップ１０９は、各ステップの処理を実行するためのプログラムをインストールしたコンピュータを用いて実現する。ステップ１０６からステップ１０９の処理を実行するためには、ステップ１０２で測定したグレイチャートの各パッチの輝度値（パッチ輝度値）と、ステップ１０５で抽出したグレイチャートの撮影画像データから抽出した各パッチ毎の撮影輝度値が必要である。したがって、特性評価を行うに際しては、上記したパッチ輝度値と撮影輝度値をコンピュータに記憶させる。記憶させるタイミングは任意であり、予め記憶させておいても、評価の実施する際に記憶させてもよい。
【００３７】
また、図１のステップ１０４及びステップ１０５の処理もコンピュータによって実施可能であり、その場合は、ステップ１０３で撮影した複数の撮影画像データを入力する。そして、各撮影画像データのホワイトバランス、パッチの輝度値を参照し、ステップ１０４で述べた基準にもとづき、評価に使用する撮影画像データの選択、ステップ１０５で述べたパッチ毎の撮影輝度値の抽出を行う。
【００３８】
【発明の効果】
以上の説明から明らかなように、本発明によれば、電子カメラのダイナミックレンジを含む階調特性を簡単に評価することができる。
【図面の簡単な説明】
【図１】本発明の特性評価方法の実施の形態の概略手順を示す図
【図２】グレイチャートの一例を示す図
【図３】階調特性表の一例を示す図
【図４】真数特性グラフの一例を示す図
【図５】対数特性グラフの一例を示す図
【符号の説明】
１０・・・グレイチャート
Ｐ１〜Ｐ２４・・・パッチ
【図１】
2004140450.tif 000003
【図２】
2004140450.tif 000004
【図３】
2004140450.tif 000005
【図４】
2004140450.tif 000006
【図５】
2004140450.tif 000007